(57)【要約】【課題】  ネットワーク稼働中に通信品質を把握できる無線ネットワークシステムを実現する。【解決手段】ネットワークを介して複数の無線ノードと品質測定装置が相互に接続され、各無線ノードは各無線ノード間の無線通信の通信品質を測定して品質測定装置に送信し、前記品質測定装置は各無線ノードから入力される無線通信の通信品質に基づき長期トレンドを算出する。【選択図】                    図１
2009049828.tif 000002
【特許請求の範囲】
【請求項１】
ネットワークを介して複数の無線ノードと品質測定装置が相互に接続され、
前記各無線ノードは各無線ノード間の無線通信の通信品質を測定して品質測定装置に送信し、
前記品質測定装置は各無線ノードから入力される無線通信の通信品質に基づき長期トレンドを算出することを特徴とする無線ネットワークシステム。
【請求項２】
前記品質測定装置は、
前記通信品質の長期トレンドを前記各無線ノードに通知することを特徴とする
請求項１記載の無線ネットワークシステム。
【請求項３】
前記各無線ノードは、
無線通信を行う通信部と、
各無線ノード間の無線通信に関する情報、前記通信品質、前記通信品質の長期トレンドのうち少なくともいずれかを格納する近隣ノード情報テーブルを記憶する記憶部と、
他の無線ノードからパケットデータを受信した時点の前記通信品質を測定して前記近隣ノード情報テーブルに格納し、これらの通信品質を前記品質測定装置に送信し、前記品質測定装置から得られた前記通信品質の長期トレンドを前記近隣ノード情報テーブルに格納する演算制御部とから構成されることを特徴とする
請求項１もしくは請求項２に記載の無線ネットワークシステム。
【請求項４】
前記品質測定装置は、
無線通信を行う通信部と、
各無線ノード間の無線通信に関する情報、前記通信品質、前記長期トレンドのうち少なくともいずれかを格納する品質情報テーブルを記憶する記憶部と、
前記各無線ノードから入力される前記通信品質に基づき各無線ノード間の前記通信品質の長期トレンドを算出してこれらの前記通信品質の長期トレンドを前記品質情報テーブルに格納するとともに、これらの前記通信品質の長期トレンドを前記各無線ノードに通知する演算制御部とから構成されることを特徴とする
請求項１ないし請求項３いずれかに記載の無線ネットワークシステム。
【請求項５】
前記品質測定装置の前記演算制御部は、
前記各無線ノードから入力された前記通信品質の標準偏差を求め、これら標準偏差と標準偏差の平均の差分を求めて各無線ノード間の無線通信の安定度を把握することを特徴とする
請求項１ないし請求項４いずれかに記載の無線ネットワークシステム。
【発明の詳細な説明】
【技術分野】
【０００１】
本発明は、無線ネットワークシステムに関し、詳しくは、無線ノード間における通信品質の測定に関する。
【背景技術】
【０００２】
一般に、無線ネットワークシステムにおける無線ノード間の無線通信では、無線ノードの設置場所によっては障害物のために電波障害や通信障害が発生し、無線ノードから送信されたデータが送信先に到達しないことがある。このような場合には、電波障害に応じて無線ノードのデータ送信におけるデータ出力強度を高めるなどの調整を行うために、無線通信の品質を把握することが必要になる。
【０００３】
そこで、従来から、たとえば無線ネットワークシステムを構成する無線ノード間における無線通信の通信品質を把握する方法として、無線ノードの設置位置にスペクトラムアナライザを設置して信号強度を測定することや、パケットロス率を測定できる通信品質測定装置を用いて無線ノード間におけるデータ通信のパケットロス率を測定することなどが提案されている。
【０００４】
従来の無線ネットワークシステムにおける無線通信の品質を測定する方法に関連する先行技術文献としては次のようなものがある。
【０００５】
【特許文献１】特開２００２−２１７８２５号公報
【特許文献２】特開２００７−０６８１７１号公報
【０００６】
図１２は従来の無線ネットワークシステムの一例を示す構成ブロック図であって、スペクトラムアナライザで信号強度を測定する例を示している。図１２において、無線ノード１〜６は、データを無線伝送する無線通信機能を有している。スペクトラムアナライザ７は、新たに無線ノードを設置する場所に設置されたものであり、データを無線伝送する無線通信機能と、無線通信における信号強度を測定する通信測定機能を有している。
【０００７】
無線ノード１は、無線回線ＣＮ１０１を介して無線ノード２に接続されるとともに、無線回線ＣＮ１０３を介して無線ノード４に接続されている。無線ノード２は、無線回線ＣＮ１０２を介して無線ノード３に接続されるとともに、無線回線ＣＮ１０４を介して無線ノード５に接続されている。無線ノード４は、無線回線ＣＮ１０６を介して無線ノード５に接続されている。無線ノード６は、無線回線ＣＮ１０５を介して無線ノード３に接続されるとともに、無線回線ＣＮ１０７を介して無線ノード５に接続されている。
【０００８】
このような構成において、無線ノード１は、新たな無線ノードの設置予定場所に設置されたスペクトラムアナライザ７にデータを送信する。スペクトラムアナライザ７は、無線ノード１から出力される信号を受信し、その信号強度を測定する。オペレータは、スペクトラムアナライザ７によって測定された信号強度に基づいて通信品質を把握でき、新たに設置する無線ノードのデータ送信における出力強度を高めるなどの調整を行うことができる。
【０００９】
図１３も従来の無線ネットワークシステムの一例を示す構成ブロック図であり、パケットロス率を測定する例を示している。なお、図１２と共通する部分には同一符号を付している。図１３において、無線ノード８は、データ通信のパケットロス率測定用の受信専用の無線ノードであり、新たに無線ノードを設置する場所に設置され、無線通信機能とデータを受信した回数をカウントするカウント機能を有している。ロス率計算装置９はデータ通信を行う通信機能と、送信元からのパケットデータが送信先にどの程度到達できなかったかを表す「パケットロス率」を計算するロス率計算機能を有している。
【００１０】
無線ノード１および無線ノード８は無線回線を介して接続されている。また、ロス率計算装置９は、無線ノード１および無線ノード８と接続されている。
【００１１】
無線ノード１は、無線ノード８にパケットデータを送信する。このとき、無線ノード１は、無線ノード８にパケットデータを送信した回数（以下、送信回数という）をカウントする。無線ノード８は、無線ノード１からのパケットデータを受信し、無線ノード１からパケットデータを受信した回数（以下、受信回数という）をカウントする。あらかじめ定められた時間が経過した時点で、無線ノード１および無線ノード８はロス率計算装置９にパケットデータの送信回数および受信回数を送信する。
【００１２】
ロス率計算装置９は、無線ノード１でカウントされたパケットデータの送信回数と無線ノード８でカウントされたパケットデータの受信回数とに基づいて、式（１）を利用してパケットデータのロス率を計算する。
（送信回数−受信回数）／送信回数×１００＝パケットロス率・・・（１）
【００１３】
オペレータは、ロス率計算装置９によって計算されたパケットロス率に基づいて通信品質を把握でき、新たに設置する無線ノード８のデータ送信におけるデータ出力強度を高めるなどの調整を行うことができる。
【発明の開示】
【発明が解決しようとする課題】
【００１４】
しかし、これら従来の無線ネットワークシステムでは、時間によっては無線ノード間の無線通信を障害物が一時的に遮ったり、他の無線機器などからの出力の干渉により電波障害が生じて通信品質に影響を与えることがあった。また、設置場所が数センチ異なるだけでも無線通信の品質が大きく変化したりすることもあった。
【００１５】
また、上記いずれの場合も、無線ノードと同じ位置にスペクトラムアナライザやロス率測定専用の無線ノードなどを設置してあらかじめ定められた周期で無線通信の品質を測定しなければならず、従来スループットなどを利用してネットワーク全体についての通信品質の調査や監視は行われているものの、各無線ノード間の通信品質（いいかえればＰ２Ｐ間の通信）の調査や監視は行うことができなかった。
【００１６】
また、スペクトラムアナライザを用いて無線通信の品質を測定する方法では、無線ノードの設置位置にスペクトラムアナライザを設置することから、無線ネットワークシステムを構成する無線ノードを一時的に停止させなければならないという問題点がある。
【００１７】
また、品質測定装置を用いて無線通信の品質を測定する方法でも、データ通信のパケットロス率測定用の受信専用無線ノードを設置するために、無線ネットワークシステムを構成する無線ノードを一時的に停止させなければならないといった問題点がある。
【００１８】
すなわち、Ｐ２Ｐ間の通信品質を把握するためには一時的にネットワークを停止させなければならず、ネットワーク稼動時の通信品質を把握できないといった問題点がある。
【００１９】
本発明はこれらの問題点を解決するものであり、その目的は、ネットワークを停止させることなく通信品質を把握できる無線ネットワークシステムを実現することにある。
【課題を解決するための手段】
【００２０】
このような課題を達成するために、本発明のうち請求項１記載の発明は、
ネットワークを介して複数の無線ノードと品質測定装置が相互に接続され、各無線ノードは各無線ノード間の無線通信の通信品質を測定して品質測定装置に送信し、前記品質測定装置は各無線ノードから入力される無線通信の通信品質に基づき長期トレンドを算出することを特徴とする。
【００２１】
請求項２記載の発明は、
請求項１記載の無線ネットワークシステムにおいて、
前記品質測定装置は、前記通信品質の長期トレンドを前記各無線ノードに通知することを特徴とする。
【００２２】
請求項３記載の発明は、
請求項１もしくは請求項２記載の無線ネットワークシステムにおいて、
前記各無線ノードは、無線通信を行う通信部と、各無線ノード間の無線通信に関する情報、前記通信品質、前記通信品質の長期トレンドのうち少なくともいずれかを格納する近隣ノード情報テーブルを記憶する記憶部と、他の無線ノードからパケットデータを受信した時点の前記通信品質を測定して前記近隣ノード情報テーブルに格納し、これらの通信品質を前記品質測定装置に送信し、前記品質測定装置から得られた前記通信品質の長期トレンドを前記近隣ノード情報テーブルに格納する演算制御部とから構成されることを特徴とする。
【００２３】
請求項４記載の発明は、
請求項１ないし請求項３いずれかに記載の無線ネットワークシステムにおいて、
前記品質測定装置は、無線通信を行う通信部と、各無線ノード間の無線通信に関する情報、前記通信品質、前記長期トレンドのうち少なくともいずれかを格納する品質情報テーブルを記憶する記憶部と、前記各無線ノードから入力される前記通信品質に基づき各無線ノード間の前記通信品質の長期トレンドを算出してこれらの前記通信品質の長期トレンドを前記品質情報テーブルに格納するとともに、これらの前記通信品質の長期トレンドを前記各無線ノードに通知する演算制御部とから構成されることを特徴とする。
【００２４】
請求項５記載の発明は、
請求項１ないし請求項４いずれかに記載の無線ネットワークシステムにおいて、
前記品質測定装置の前記演算制御部は、前記各無線ノードから入力された前記通信品質の標準偏差を求め、これら標準偏差と標準偏差の平均の差分を求めて各無線ノード間の無線通信の安定度を把握することを特徴とする。
【発明の効果】
【００２５】
本発明によれば、ネットワークを停止させることなく通信品質を把握できる。
【発明を実施するための最良の形態】
【００２６】
図１は、本発明に係る無線ネットワークシステムの一実施例を示す構成ブロック図である。無線ノード１１〜１６は、無線通信機能と、他の無線ノードからパケットデータを受信した際にその信号強度および電波干渉の強度に基づきパケットデータ受信時点での通信品質（以下、ＳＱ（Signal Quality）という）を算出する品質計算機能を有している。品質測定装置１７は、無線通信機能と、各無線ノードで算出されるＳＱに基づいて無線通信の安定度などの通信品質の長期トレンド（以下、ＣＱ（Communication Quality）という）を算出する品質計算機能を有している。なお、図１の無線ネットワークシステムを構成する無線ノード１１〜１６は、従来の無線ノード１〜６と共通するものであり、各部の説明を適宜省略する。
【００２７】
図２は図１の無線ノード１２の構成ブロック図である。通信部１２１は、主に品質測定装置１７、無線ノード１１および１３との間で通信を行うものであり、各部の動作を制御するＣＰＵ（Central Processing Unit）などの演算制御部１２２に接続されている。演算制御部１２２は記憶部１２３に接続されている。記憶部１２３には、無線ノードとして動作させるためのプログラムおよび無線回線を介して接続している無線ノードや近隣に設置されている無線ノードに関する情報を保持する「近隣ノード情報テーブル」などが格納されている。
【００２８】
図３は図２の無線ノード１２を構成する演算制御部１２２の機能ブロック例図である。データ受信部１２２１は、主として品質測定装置１７、無線ノード１１および１３からのパケットデータを受信する。品質計算部１２２２は、データ受信部１２２１で受信したパケットデータに基づいてデータ受信時点での通信品質（ＳＱ）を算出する。テーブル管理部１２２３は、データ受信部１２２１で受信したパケットデータおよび品質計算部１２２２で算出されたＳＱに基づいて近隣ノード情報テーブルを作成し、無線ノード１２の近隣に設置されている無線ノードや接続している無線ノードに関する情報を記憶する。リクエスト送信部１２２４は、他の無線ノードとの無線通信の安定度などを含む通信品質の長期トレンド（ＣＱ）の算出を要求するために、近隣ノード情報テーブルに記憶している各無線ノードのＳＱを付加した「リクエストデータ」を品質測定装置１７に送信する。データ送信部１２２５は、主として品質測定装置１７、無線ノード１１および１３にパケットデータを送信する。なお、無線ノード１１、１３〜１６の構成も無線ノード１２の構成と同様である。
【００２９】
図４は図１の品質測定装置１７の構成ブロック図である。通信部１７１は、主に無線ノード１１〜１３との間で通信を行うものであり、各部の動作を制御するＣＰＵなどの演算制御部１７２に接続されている。演算制御部１７２は記憶部１７３に接続されている。記憶部１７３には、品質測定装置１７として動作させるためのプログラムおよび各無線ノードから得られるＳＱや品質測定装置１７で算出するＣＱに関する情報を保持する「品質情報テーブル」などが格納されている。
【００３０】
図５は図４の品質測定装置１７を構成する演算制御部１７２の機能ブロック図である。データ受信部１７２１は、主として無線ノード１１〜１３からリクエストデータを受信する。品質計算部１７２２は、データ受信部１７２１で受信したリクエストデータに基づいて各無線ノード間における通信品質の統計情報や安定度などを含む通信品質の長期トレンド（ＣＱ）を算出する。テーブル管理部１７２３は、データ受信部１７２１で受信したパケットデータおよび品質計算部１７２２で算出されたＣＱに基づいて品質情報テーブルを作成し、各無線ノード間の通信品質に関する情報を記憶する。レスポンス送信部１７２４は、各無線ノード間のＣＱを付加した「レスポンスデータ」を無線ノードに送信する。
【００３１】
図６は図１の無線ネットワークシステムの動作の説明図である。無線ノード１１が無線ノード１２にパケットデータを送信するデータ通信ＤＦ２００の流れと、無線ノード１３が無線ノード１２にパケットデータを送信するデータ通信ＤＦ２０１の流れと、無線ノード１２が品質測定装置１７にリクエストデータを送信するデータ通信ＤＦ２０２の流れと、品質測定装置１７が無線ノード１２にレスポンスデータを送信するデータ通信ＤＦ２０３の流れと、無線ノード１２が無線ノード１１にレスポンスデータを送信するデータ通信ＤＦ２０４の流れと、無線ノード１２が無線ノード１３にレスポンスデータを送信するデータ通信ＤＦ２０５の流れを示している。
【００３２】
図７は主に図２の無線ノード１２の演算制御部１２２と図４の品質測定装置１７の演算制御部１７２の動作を説明するフロー図であり、図６のデータ通信ＤＦ２００〜２０５の流れに基づき説明する。
【００３３】
ステップＳ１０１において、無線ノード１１および１３は、図６のデータ通信ＤＦ２００および２０１の流れに示すように、無線ノード１２にパケットデータをそれぞれ送信する。
【００３４】
ステップＳ１０２において、無線ノード１２の演算制御部１２２は、記憶部１２３に格納されたプログラムを読み出し実行する。演算制御部１２２において、データ受信部１２２１は無線ノード１１および１３からのパケットデータを受信し、テーブル管理部１２２３は無線ノードから受信したパケットデータに基づき図８に示すような近隣ノード情報テーブルを作成し送信元の無線ノードごとに各種データを記憶する。近隣ノード情報テーブルは、主として「ノードＩＤ」、「ＳＱ」、「統計情報」と「通信の安定度」を含む「ＣＱ（送信）」、「統計情報」と「通信の安定度」を含む「ＣＱ（受信）」などで構成される。
【００３５】
ステップＳ１０３において、無線ノード１２の演算制御部１２２の品質計算部１２２２は、無線ノード１１および１３から受信したパケットデータの信号強度および電波干渉の強度に基づいて、無線ノード１１と無線ノード１２間、無線ノード１２と無線ノード１３間の無線通信のパケットデータ受信時点での通信品質ＳＱをそれぞれ算出し、算出したＳＱを近隣ノード情報テーブルの送信元の無線ノードごとにそれぞれ格納する。
【００３６】
品質計算部１２２２は、たとえば図８に示すように、それぞれ算出された無線ノード１１からのパケットデータのＳＱ「Ｄ１３」、無線ノード１３からのパケットデータのＳＱ「Ｄ１４」を近隣ノード情報テーブルにそれぞれ記憶する。なお、品質計算部１２２２は、各無線ノードからパケットデータを受信する度にＳＱを算出し、近隣ノード情報テーブルに記憶するものであってよい。
【００３７】
ステップＳ１０４において、無線ノード１２のリクエスト送信部１２２４は、他の無線ノードとの通信品質の長期トレンド（ＣＱ）を把握するか否かを判断する。たとえばリクエスト送信部１２２４はあらかじめ定められた回数だけパケットデータを受信した場合やあらかじめ定められた時間が経過した場合には、他の無線ノードとのＣＱを把握すべきものと判断する。他の無線ノードとのＣＱを把握する場合は、ステップＳ１０５に移行する。他の無線ノードとのＣＱを把握しない場合は、ステップＳ１０１にもどる。
【００３８】
ステップＳ１０５において、図６のデータ通信ＤＦ２０２の流れに示すように、無線ノード１２のリクエスト送信部１２２４は、接続している無線ノードや近隣の無線ノードなどの他の無線ノードとのＣＱの算出を要求するためのリクエストデータを品質測定装置１７に送信する。図示しないリクエストデータは、各無線ノード間の通信品質を付加したテーブル管理部１２２３の近隣ノード情報テーブルに記憶している各無線ノードの「ノードＩＤ」やそれらの「ＳＱ」などで構成される。
【００３９】
ステップＳ１０６において、品質測定装置１７の演算制御部１７２は、記憶部１７３に格納されたプログラムを読み出し実行する。演算制御部１７２において、データ受信部１７２１は無線ノード１２からのリクエストデータを受信し、テーブル管理部１７２３は受信したリクエストデータに基づいて図９に示すような品質情報テーブルを作成し無線ノードごとにＳＱを記憶する。品質情報テーブルは、主として「送信元ノードＩＤ」、「送信先ノードＩＤ」、「ＳＱ」、「統計情報」と「通信の安定度」を含む「ＣＱ」などで構成される。
【００４０】
ステップＳ１０７において、演算制御部１７２の品質計算部１７２２は、無線ノード１２から受信したリクエストデータに基づき統計処理を行って無線ノード間通信ごとにＣＱを算出し、これらのＣＱを品質情報テーブルに記憶する。
【００４１】
たとえば品質計算部１７２２は、無線ノード１２と無線ノード１１および１３とのＳＱに基づいて統計処理を行い、ＳＱの標準偏差である「統計情報（SQ Stats Data）」やこの統計情報の平均値と統計情報との差分である「安定度（Stability）」からなるＣＱを送信元や送信先の無線ノードごとに（いいかえれば無線ノード間通信ごとに）それぞれ算出して、品質情報テーブルに記憶する。具体的には図９に示すように、それぞれ算出された無線ノード１１から無線ノード１２へのデータ通信の通信品質データとして、統計情報「ＳＤ１３」と安定度「ＳＴ１３」を品質情報テーブルに記憶する。
【００４２】
ステップＳ１０８において、演算制御部１７２のレスポンス送信部１７２４は、図６のデータ通信ＤＦ２０３に示すように、ＣＱの算出結果を通知するための「レスポンスデータ」を無線ノード１２に送信する。図示しないレスポンスデータは各無線ノード間のＣＱが付加され、テーブル管理部１７２３の品質情報テーブルに記憶している各無線ノードの「ノードＩＤ」とそれらの「ＣＱ」などで構成される。
【００４３】
ステップＳ１０９において、無線ノード１２の演算制御部１２２のデータ受信部１２２１は、品質測定装置１７からのレスポンスデータを受信する。一方、テーブル管理部１２２３は、レスポンスデータに基づき品質測定装置１７で得られたＣＱを、送信元の無線ノードごとに近隣ノード情報テーブルに記憶する。たとえば図１０に示すように、無線ノード１１からパケットデータを受信する場合のＣＱとして、統計情報「ＳＤ１３」と安定度「ＳＴ１３」を近隣ノード情報テーブルにそれぞれ記憶する。
【００４４】
ステップＳ１１０において、演算制御部１２２のデータ送信部１２２１は、図６のデータ通信ＤＦ２０４および２０５に示すように、品質測定装置１７からのレスポンスデータを無線ノード１１および１３に転送する。いいかえれば無線ノード１２は、品質測定装置１７からのレスポンスデータを、無線通信の送信元である無線ノード１１および１３に通知することになる。
【００４５】
ステップＳ１１１において、無線ノード１１および無線ノード１３は、無線ノード１２からのレスポンスデータに基づいて、品質測定装置１７で得られたＣＱを送信先の無線ノードごとに近隣ノード情報テーブルに記憶する。たとえば無線ノード１１は、図１１に示すように、無線ノード１２にパケットデータを送信する場合のＣＱとして、統計情報「ＳＤ１３」と安定度「ＳＴ１３」を近隣ノード情報テーブルにそれぞれ記憶する。
【００４６】
このように、本発明の無線ネットワークシステムによれば、各無線ノードは他の無線ノードから受信したパケットデータに基づいてデータ受信時における無線通信の通信品質を算出して蓄積するとともに、各無線ノード間における無線通信の通信品質を付加したリクエストデータを品質測定装置に送信し、品質測定装置は受信したリクエストデータに基づいて無線ノード間の無線通信における通信品質の長期トレンドを算出して記憶し、算出した通信品質の長期トレンドを各無線ノードに通知することにより、ネットワークの稼働中における通信品質を把握できる。
【００４７】
また、本発明の無線ネットワークシステムではネットワークの稼動中に通信品質を把握するので、通信品質の変化をリアルタイムに把握することができる。
【００４８】
また、品質測定装置は、通信品質の統計情報およびその安定度を算出し、長期的なトレンドを把握するので、一時的な通信品質の低下であるか長期的な低下であるかを把握できる。
【００４９】
さらに、品質測定装置は、得られた通信品質の長期的なトレンドを各無線ノードに通知するので、送信元無線ノードおよび送信先無線ノードの両方において無線ノード間の通信品質を把握することができる。
【００５０】
なお、上記実施例の無線ネットワークシステムでは無線ノード１１〜１６が無線ネットワークを構成しているが、各無線ノードおよび品質測定装置はルータやスイッチなどの中継機器を介して相互に接続されるものであってもよい。たとえば無線ノードで他の無線ノード間における無線通信のＣＱを把握したい場合は、中継機器を経由してリクエストデータを品質測定装置に送信し、品質測定装置は中継機器を介してＣＱを含むレスポンスデータを無線ノードに通知するものでもよい。また、無線ノードは中継機器の機能を有するものであってもよい。
【００５１】
なお、上記実施例の無線ネットワークシステムでは、無線ノード１１〜１６と品質測定装置１７が無線ネットワークを構成しているが、本発明の無線ネットワークシステムは無線ノードと品質測定ノードとがそれぞれ１個以上からなる構成であってもよい。
【００５２】
また、上記実施例の無線ネットワークシステムでは、無線ノード１１〜１６および品質測定装置１７によって無線ネットワークが構成されているが、無線通信にはＩＥＥＥ８０２．１５．４の無線通信方式を用いるものであってもよい。
【００５３】
また、上記実施例の無線ネットワークシステムでは、無線ノードの品質計算部１２２２は各無線ノードからパケットデータを受信する度に通信品質（ＳＱ）を算出し、近隣ノード情報テーブルに記憶すると示しているが、各無線ノードは通信品質としてＩＥＥＥ８０２．１５．４の無線通信方式で利用されているリンク品質(ＬＱＩ:Link Quality Indicator)を用いるものであってもよい。この場合は品質計算部１２２２が受信したパケットデータに基づいてＬＱＩを求め、近隣ノード情報テーブルに記憶することになる。また、各無線ノードは通信品質として受信したパケットデータの強度を表す信号強度（ＲＳＳＩ（Received Signal Strength Indicator））を用いるものであってもよい。
【００５４】
また、上記実施例の無線ネットワークシステムでは、品質計算部１７２２は、無線ノード１２と各無線ノード間におけるＳＱの標準偏差などの「統計情報」やこの統計情報の平均値と統計情報との差分などの「安定度」からなる通信品質の長期トレンド（ＣＱ）をそれぞれ算出すると示しているが、特にこれに限定するものではなく、ＣＱは無線ノード間の通信品質を把握できるものであるならばどのような情報であっても構わない。
【００５５】
また、上記実施例の無線ネットワークシステムは、無線ノード１１〜１６が無線ネットワークを構成しているが、無線ノード１１〜１６がマルチホップネットワークを構成する場合は、ＣＱに基づいて送信先ノードとのデータ通信における過去から現在までの長期にわたる通信品質を把握し、ＳＱに基づいてパケットデータを受信した瞬間の通信品質を把握し、ＣＱの「安定度」に基づいて将来の通信品質を予測することにより、新たな通信経路を発見する際にＳＱおよびＣＱに基づいて通信経路全体の通信品質を把握することができ、通信品質を考慮した最適な通信経路を選択することができる。
【００５６】
たとえば、上記のようなＳＱおよびＣＱに基づいて通信経路全体の通信品質を把握することにより、マルチホップネットワークにおける新たな経路を発見した場合の判断基準として、「通信品質が長期にわたって安定し、かつ現時点の通信品質も良い経路」、「通信品質が長期にわたって安定し、現在一時的に通信品質が悪い経路」、「通信品質が長期にわたって不安定で、現在一時的に通信品質が良い経路」、「通信品質が長期にわたって不安定で、現時点もまた通信品質が悪い経路」というような基準を使用することにより、通信品質を考慮した最適な通信経路を選択することができる。
【図面の簡単な説明】
【００５７】
【図１】本発明に係る無線ネットワークシステムの一実施例を示す構成ブロック図である。
【図２】図１の無線ノード１２の構成ブロック図である。
【図３】図２の無線ノード１２を構成する演算制御部１２２の機能ブロック例図である。
【図４】図１の品質測定装置１７の構成ブロック図である。
【図５】図４の品質測定装置１７を構成する演算制御部１７２の機能ブロック例図である。
【図６】図１の無線ネットワークシステムの動作の説明図である。
【図７】図２の無線ノード１２の演算制御部１２２と図４の品質測定装置１７の演算制御部１７２の動作を説明するフロー図である。
【図８】近隣ノード情報テーブルと各種品質情報の具体例の説明図である。
【図９】品質情報テーブルと各種品質情報の具体例の説明図である。
【図１０】近隣ノード情報テーブルと各種品質情報の具体例の説明図である。
【図１１】近隣ノード情報テーブルと各種品質情報の具体例の説明図である。
【図１２】従来の無線ネットワークシステムの一例を示す構成ブロック図である。
【図１３】従来の無線ネットワークシステムのその他の例を示す構成ブロック図である。
【符号の説明】
【００５８】
１、２、３、４、５、６、８、１１、１２、１３、１４、１５、１６  無線ノード
７  スペクトラムアナライザ
９  ロス率計算装置
１７  品質測定装置
１２１  通信部
１２２  演算制御部
１２３  記憶部
１２２２、１７２１  データ受信部
１２２２、１７２２  品質計算部
１２２３、１７２３  テーブル管理部
１２２４  リクエスト送信部
１２２５  データ送信部
１７１  通信部
１７２  演算制御部
１７３  記憶部
１７２４  レスポンス送信部
【図１】
2009049828.tif 000003
【図２】
2009049828.tif 000004
【図３】
2009049828.tif 000005
【図４】
2009049828.tif 000006
【図５】
2009049828.tif 000007
【図６】
2009049828.tif 000008
【図７】
2009049828.tif 000009
【図８】
2009049828.tif 000010
【図９】
2009049828.tif 000011
【図１０】
2009049828.tif 000012
【図１１】
2009049828.tif 000013
【図１２】
2009049828.tif 000014
【図１３】
2009049828.tif 000015